(57)【特許請求の範囲】
【請求項１】
１または複数の画像形成装置と、
前記１または複数の画像形成装置のいずれかに対して出力指示を送信する携帯端末装置とを備え、
前記画像形成装置は、前記携帯端末装置からの、当該画像形成装置の位置情報を送信要求を受け付けると、前記携帯端末装置へ当該画像形成装置の位置情報を送信し、
前記携帯端末装置は、
表示装置と、
当該携帯端末装置の現在位置を検出する位置検出装置と、
当該携帯端末装置の現在の向きを検出する方向検出装置と、
無線通信装置と、
入力装置と、
利用可能な前記画像形成装置を前記無線通信装置で検出するデバイス検出部と、
検出された前記画像形成装置の位置情報を、検出された前記画像形成装置から取得し、当該携帯端末装置の現在位置および現在の向き、並びに、検出された前記画像形成装置の位置情報に基づき、当該携帯端末装置の現在位置および現在の向きに対する、検出された前記画像形成装置の距離および方向を、検出された前記画像形成装置を示すデバイスアイコンを配置して示すマップ画像を生成するマップ画像生成部と、
前記表示装置に表示された前記マップ画像内の前記デバイスアイコンから選択された前記デバイスアイコンに対応する前記画像形成装置へ前記出力指示を送信する出力指示部と、
前記マップ画像を前記表示装置に表示させ、前記マップ画像内の前記デバイスアイコンのうち、前記入力装置に対するユーザー操作で選択された前記デバイスアイコンに対応する前記画像形成装置を特定するユーザーインターフェイス部とを有し、
前記ユーザーインターフェイス部は、前記入力装置に対するユーザー操作で、隣接する複数の前記デバイスアイコンが選択された場合、前記複数のデバイスアイコンを含む拡大画像を表示させ、前記拡大画像内の前記デバイスアイコンのうち、前記入力装置に対するユーザー操作で選択された前記デバイスアイコンに対応する前記画像形成装置を特定すること、
を特徴とする画像形成システム。
【請求項２】
表示装置と、現在位置を検出する位置検出装置と、現在の向きを検出する方向検出装置と、無線通信装置と、入力装置とを備え、画像形成装置に対して出力指示を送信する携帯端末装置内のコンピューターを、
利用可能な前記画像形成装置を前記無線通信装置で検出するデバイス検出部、
検出された前記画像形成装置の位置情報を、検出された前記画像形成装置から取得し、当該携帯端末装置の現在位置および現在の向き、並びに、検出された前記画像形成装置の位置情報に基づき、当該携帯端末装置の現在位置および現在の向きに対する、検出された前記画像形成装置の距離および方向を、検出された前記画像形成装置を示すデバイスアイコンを配置して示すマップ画像を生成するマップ画像生成部、
前記表示装置に表示された前記マップ画像内の前記デバイスアイコンから選択された前記デバイスアイコンに対応する前記画像形成装置へ前記出力指示を送信する出力指示部、並びに、
前記マップ画像を前記表示装置に表示させ、前記マップ画像内の前記デバイスアイコンのうち、前記入力装置に対するユーザー操作で選択された前記デバイスアイコンに対応する前記画像形成装置を特定するユーザーインターフェイス部
として機能させ、
前記ユーザーインターフェイス部は、前記入力装置に対するユーザー操作で、隣接する複数の前記デバイスアイコンが選択された場合、前記複数のデバイスアイコンを含む拡大画像を表示させ、前記拡大画像内の前記デバイスアイコンのうち、前記入力装置に対するユーザー操作で選択された前記デバイスアイコンに対応する前記画像形成装置を特定すること、
を特徴とする出力指示プログラム。
【請求項３】
前記マップ画像生成部は、前記マップ画像において、前記出力指示により出力すべきドキュメントを示すドキュメントアイコンを配置し、
前記ユーザーインターフェイス部は、前記ユーザー操作として、前記ドキュメントアイコンに対するフリック操作を検出し、前記フリック操作で選択された前記デバイスアイコンに対応する前記画像形成装置を特定すること、
を特徴とする請求項２記載の出力指示プログラム。
【請求項４】
前記マップ画像生成部は、前記マップ画像において、（ａ）前記出力指示により出力すべきドキュメントを示すドキュメントアイコンを配置し、（ｂ）前記出力指示の送信先となる前記画像形成装置が既に決定している場合、前記ドキュメントアイコンを、前記出力指示の送信先となる前記画像形成装置の前記デバイスアイコンへ向けて移動させていくことを特徴とする請求項２記載の出力指示プログラム。
【請求項５】
前記携帯端末装置は、撮像装置をさらに備え、
前記マップ画像生成部は、前記撮像装置の現時点の撮影画像に対して前記デバイスアイコンを重畳させて配置して前記マップ画像を生成すること、
を特徴とする請求項２から請求項４のうちのいずれか１項記載の出力指示プログラム。
【請求項６】
前記マップ画像生成部は、所定のユーザー操作が検出された場合に、前記撮像装置の現時点の撮影画像に対して前記デバイスアイコンを重畳させて配置して前記マップ画像を生成することを特徴とする請求項５記載の出力指示プログラム。
【請求項７】
前記マップ画像生成部は、検出された前記画像形成装置のうち、前記マップ画像内に前記デバイスアイコンが表示されていない前記画像形成装置に対応して、前記マップ画像のエッジ部分に、前記マップ画像内に前記デバイスアイコンが表示されていない前記画像形成装置が存在する方向を示す画像を含めることを特徴とする請求項２から請求項６のうちのいずれか１項記載の出力指示プログラム。
【発明の詳細な説明】
【技術分野】
【０００１】
本発明は、画像形成システムおよび出力指示プログラムに関するものである。
【背景技術】
【０００２】
ユーザーの端末装置から画像形成装置へ、印刷などの出力指示を行うことができるシステムでは、ユーザーが、端末装置に対して、出力指示を行う画像形成装置を選択する必要がある。
【０００３】
ある画像形成装置では、スキャナーなどの入力装置およびプロッターなどの出力装置のアイコンを操作部に表示し、ユーザーが出力装置のアイコンへ文書アイコンをドラッグアンドドロップすることで、出力装置が選択される（例えば特許文献１，２参照）。
【０００４】
あるシステムでは、複数の出力装置の配置位置を示すレイアウト図を予め作成しておき、そのレイアウト図を表示し、ユーザーがそのレイアウト図内の出力装置を指定することで、出力装置が選択される（例えば特許文献３参照）。
【０００５】
別の画像形成装置では、ネットワーク上の複数の機器をツリー状に表示させている（例えば特許文献４参照）。
【先行技術文献】
【特許文献】
【０００６】
【特許文献１】特開２００５−１８４４４４号公報
【特許文献２】特開平１１−３３４１８０号公報
【特許文献３】特開平１０−３１９７９５号公報
【特許文献４】特開２００４−２２２２０２号公報
【発明の概要】
【発明が解決しようとする課題】
【０００７】
上述の技術では、ユーザーの現在位置を基準とした、各画像形成装置の相対的な位置を直感的に把握することが困難であり、ユーザーが所望の画像形成装置を直感的に選択することが困難である。
【０００８】
本発明は、上記の問題に鑑みてなされたものであり、ユーザーが所望の画像形成装置を直感的に選択することができる画像形成システムおよび出力指示プログラムを得ることを目的とする。
【課題を解決するための手段】
【０００９】
本発明に係る画像形成システムは、１または複数の画像形成装置と、前記１または複数の画像形成装置のいずれかに対して出力指示を送信する携帯端末装置とを備える。前記画像形成装置は、前記携帯端末装置からの、当該画像形成装置の位置情報を送信要求を受け付けると、前記携帯端末装置へ当該画像形成装置の位置情報を送信する。前記携帯端末装置は、表示装置と、当該携帯端末装置の現在位置を検出する位置検出装置と、当該携帯端末装置の現在の向きを検出する方向検出装置と、無線通信装置と、入力装置と、利用可能な前記画像形成装置を前記無線通信装置で検出するデバイス検出部と、検出された前記画像形成装置の位置情報を、検出された前記画像形成装置から取得し、当該携帯端末装置の現在位置および現在の向き、並びに、検出された前記画像形成装置の位置情報に基づき、当該携帯端末装置の現在位置および現在の向きに対する、検出された前記画像形成装置の距離および方向を、検出された前記画像形成装置を示すデバイスアイコンを配置して示すマップ画像を生成するマップ画像生成部と、前記表示装置に表示された前記マップ画像内の前記デバイスアイコンから選択された前記デバイスアイコンに対応する前記画像形成装置へ前記出力指示を送信する出力指示部と、前記マップ画像を前記表示装置に表示させ、前記マップ画像内の前記デバイスアイコンのうち、前記入力装置に対するユーザー操作で選択された前記デバイスアイコンに対応する前記画像形成装置を特定するユーザーインターフェイス部とを有する。そして、前記ユーザーインターフェイス部は、前記入力装置に対するユーザー操作で、隣接する複数の前記デバイスアイコンが選択された場合、前記複数のデバイスアイコンを含む拡大画像を表示させ、前記拡大画像内の前記デバイスアイコンのうち、前記入力装置に対するユーザー操作で選択された前記デバイスアイコンに対応する前記画像形成装置を特定する。
【００１０】
本発明に係る出力指示プログラムは、表示装置と、現在位置を検出する位置検出装置と、現在の向きを検出する方向検出装置と、無線通信装置と、入力装置とを備え、画像形成装置に対して出力指示を送信する携帯端末装置内のコンピューターを、利用可能な前記画像形成装置を前記無線通信装置で検出するデバイス検出部、検出された前記画像形成装置の位置情報を、検出された前記画像形成装置から取得し、当該携帯端末装置の現在位置および現在の向き、並びに、検出された前記画像形成装置の位置情報に基づき、当該携帯端末装置の現在位置および現在の向きに対する、検出された前記画像形成装置の距離および方向を、検出された前記画像形成装置を示すデバイスアイコンを配置して示すマップ画像を生成するマップ画像生成部、前記表示装置に表示された前記マップ画像内の前記デバイスアイコンから選択された前記デバイスアイコンに対応する前記画像形成装置へ前記出力指示を送信する出力指示部、並びに、前記マップ画像を前記表示装置に表示させ、前記マップ画像内の前記デバイスアイコンのうち、前記入力装置に対するユーザー操作で選択された前記デバイスアイコンに対応する前記画像形成装置を特定するユーザーインターフェイス部として機能させる。そして、前記ユーザーインターフェイス部は、前記入力装置に対するユーザー操作で、隣接する複数の前記デバイスアイコンが選択された場合、前記複数のデバイスアイコンを含む拡大画像を表示させ、前記拡大画像内の前記デバイスアイコンのうち、前記入力装置に対するユーザー操作で選択された前記デバイスアイコンに対応する前記画像形成装置を特定する。
【発明の効果】
【００１１】
本発明によれば、ユーザーが所望の画像形成装置を直感的に選択することができる。
【図面の簡単な説明】
【００１２】
【図１】図１は、本発明の実施の形態に係る画像形成システムの構成を示すブロック図である。
【図２】図２は、図１における携帯端末装置１の構成を示すブロック図である。
【図３】図３は、図１における画像形成装置２の構成を示すブロック図である。
【図４】図４は、図１に示すシステムにおける携帯端末装置１の動作について説明するフローチャートである。
【図５】図５は、ドキュメントデータに基づく画像を表示する画面の一例を示す図である。
【図６】図６は、２次元モードでのマップ画像を表示する画面の一例を示す図である。
【図７】図７は、ＡＲモードでのマップ画像を表示する画面の一例を示す図である。
【図８】図８は、２次元モードにおいて３つのデバイスアイコン１１３−１〜１１３−３が隣接して表示されている画面の一例を示す図である。
【図９】図９は、２次元モードにおいて拡大画像を表示する画面の一例を示す図である。
【図１０】図１０は、ＡＲモードにおいて３つのデバイスアイコン１１３−１〜１１３−３が隣接して表示されている画面の一例を示す図である。
【図１１】図１１は、ＡＲモードにおいて拡大画像を表示する画面の一例を示す図である。
【図１２】図１２は、角度範囲の設定画面の一例を示す図である。
【図１３】図１３は、エッジ画像の一例を示す図である。
【発明を実施するための形態】
【００１３】
以下、図に基づいて本発明の実施の形態を説明する。
【００１４】
実施の形態１．
【００１５】
図１は、本発明の実施の形態に係る画像形成システムの構成を示すブロック図である。図１に示すシステムでは、スマートフォンなどの携帯端末装置１が、無線ＬＡＮ（Local Area Network）、ブルートゥース（商標）などの無線通信で、１または複数の画像形成装置２に接続可能となっており、ユーザーが選択した画像形成装置２へ、印刷要求、ファクシミリ送信要求などの出力指示を無線通信で送信できる。画像形成装置２は、プリンター、ファクシミリ機、複合機などの画像出力機能を有し、画像出力機能で携帯端末装置１からの出力指示に基づく画像の出力（印刷、送信など）を行うとともに、携帯端末装置１からの、当該画像形成装置２の位置情報を送信要求を受け付けると、携帯端末装置１へ当該画像形成装置２の位置情報を送信する。
【００１６】
図２は、図１における携帯端末装置１の構成を示すブロック図である。
【００１７】
携帯端末装置１は、無線通信装置１１、表示装置１２、入力装置１３、ＧＰＳ装置１４、方向検出装置１５、記憶装置１６、演算処理装置１７、および撮像装置１８を備える。
【００１８】
無線通信装置１１は、例えば無線ＬＡＮインタフェースであって、所定の無線通信規格の通信回路であり、画像形成装置２との間で直接的または間接的に通信を行う。
【００１９】
表示装置１２は、携帯端末装置１の筐体に配置されている液晶ディスプレイなどの装置であって、各種画面をユーザーに対して表示する。
【００２０】
入力装置１３は、表示装置１２上に配置されたタッチパネルなどの装置であって、ユーザー操作を検出する装置である。
【００２１】
ＧＰＳ装置１４は、ＧＰＳ（Global Positioning System）で、当該ＧＰＳ装置１４、つまり携帯端末装置１の絶対位置（緯度、経度、および高度）を特定する装置である。
【００２２】
方向検出装置１５は、ジャイロセンサー、電子コンパスなどを有し、携帯端末装置１の姿勢（向き）を検出する装置である。
【００２３】
記憶装置１６は、フラッシュメモリーなどの不揮発性の記憶装置であり、プログラムおよびデータを記憶している。記憶装置１６は、出力指示プログラム１６ａを記憶している。
【００２４】
演算処理装置１７は、ＣＰＵ（Central Processing Unit）、ＲＯＭ（Read Only Memory）、ＲＡＭ（Random Access Memory）などを有するコンピューターであって、記憶装置１６やＲＯＭからＲＡＭにプログラムをロードして実行して、各種処理部を実現する。
【００２５】
この実施の形態では、演算処理装置１７において、出力指示プログラム１６ａが実行されることにより、デバイス検出部２１、マップ画像生成部２２、ユーザーインターフェイス部２３、および出力指示部２４が実現される。
【００２６】
デバイス検出部２１は、携帯端末装置１から利用可能な画像形成装置２を無線通信装置１１で検出する。例えば、フロアごとに無線ＬＡＮ（Local Area Network）を構成し、そのフロアの無線ＬＡＮに属しかつ電源オン状態の画像形成装置２が、デバイス検出部２１によって検出される。
【００２７】
マップ画像生成部２２は、検出された画像形成装置２の位置情報を、無線通信装置１１を使用して、その画像形成装置２から取得し、マップ画像を生成する。マップ画像には、その画像形成装置２を示すデバイスアイコンを配置することで、当該携帯端末装置１の現在位置および現在の向き、並びにその画像形成装置２の位置情報に基づき、当該携帯端末装置１の現在位置および現在の向きに対する、その画像形成装置２の距離および方向が示される。
【００２８】
ユーザーインターフェイス部２３は、マップ画像を表示装置１２に表示させ、マップ画像内のデバイスアイコンのうち、入力装置１３に対するユーザー操作で選択されたデバイスアイコンに対応する画像形成装置を特定する。
【００２９】
出力指示部２４は、表示装置１２に表示されたマップ画像内のデバイスアイコンから選択されたデバイスアイコンに対応する画像形成装置へ、例えばドキュメントデータを含む出力指示を送信する。
【００３０】
実施の形態１では、マップ画像生成部２２は、マップ画像において、出力指示により出力すべきドキュメントを示すドキュメントアイコンを配置し、ユーザーインターフェイス部２３は、ユーザー操作として、ドキュメントアイコンに対するフリック操作を検出し、フリック操作で選択されたデバイスアイコンに対応する画像形成装置２を特定する。
【００３１】
また、この実施の形態１では、マップ画像生成部２２は、撮像装置１８の現時点の撮影画像に対してデバイスアイコンを重畳させて配置してマップ画像を生成する、ＡＲ（Augmented Reality）モードで動作可能である。撮像装置１８は、ＣＣＤ（Charge Coupled Device）などの撮像素子を有し、その撮像素子の出力から撮影画像の画像データを生成する。
【００３２】
所定のユーザー操作が検出された場合に、マップ画像生成部２２は、２次元モード（平面上にデバイスアイコンおよびドキュメントアイコンを配置したマップ画像を生成するモード）とＡＲモードとの間で表示モードを切り替える。
【００３３】
図３は、図１における画像形成装置２の構成を示すブロック図である。
【００３４】
図１に示す画像形成装置２は、通信装置３１、ＧＰＳ装置３２、演算処理装置３３、印刷装置３４、画像読取装置３５、ファクシミリ装置３６などを備える。
【００３５】
通信装置３１は、ネットワークインターフェイスなどであって、携帯端末装置１とデータ通信を行う装置である。
【００３６】
ＧＰＳ装置３２は、当該画像形成装置２の現在位置を検出する装置である。
【００３７】
演算処理装置３３は、ＣＰＵ、ＲＯＭ、およびＲＡＭを有するコンピューターであって、ＲＯＭや図示せぬ記憶装置に記憶されているプログラムをＲＡＭにロードしてＣＰＵで実行することにより、各種処理部を形成する。
【００３８】
演算処理装置３３では、コントローラー４１、位置特定部４２、および要求受付部４３が実現される。
【００３９】
コントローラー４１は、印刷装置３４、画像読取装置３５、ファクシミリ装置３６などの内部装置を制御して、各種処理を実行する。
【００４０】
なお、印刷装置３４は、携帯端末装置１から受信されるドキュメントデータに基づく画像などを印刷する。画像読取装置３５は、原稿から原稿画像を光学的に読み取り、その原稿画像の画像データを生成する。ファクシミリ装置３６は、携帯端末装置１から受信されるドキュメントデータに基づく画像などのファクシミリ信号を生成し送信するとともに、外部からファクシミリ信号を受信しそのファクシミリ信号から画像を生成する。
【００４１】
位置特定部４２は、ＧＰＳ装置３２を使用して、当該画像形成装置２の現在位置情報を取得する。
【００４２】
なお、実施の形態１では、画像形成装置２がＧＰＳ装置３２を有しているが、画像形成装置２がＧＰＳ装置３２を有していない場合、図示せぬ記憶装置に予め、画像形成装置２の位置情報を記憶させておき、位置特定部４２は、その記憶装置からその位置情報を、当該画像形成装置２の現在位置情報として読み出すようにしてもよい。
【００４３】
要求受付部４３は、出力指示、位置情報の送信要求などの各種要求を受け付け、位置情報の送信要求については、位置特定部４２により取得された当該画像形成装置２の現在位置情報を応答として送信し、出力指示については、コントローラー４１に出力指示を渡し、出力指示により指定された処理を実行させる。
【００４４】
次に、上記システムにおける携帯端末装置１の動作について説明する。図４は、図１に示すシステムにおける携帯端末装置１の動作について説明するフローチャートである。
【００４５】
ユーザーは、携帯端末装置１を操作して、画像出力に使用するドキュメントデータを選択し、いずれかの画像形成装置２を選択し、その画像形成装置２に対してそのドキュメントデータについての出力指示を送信させる。
【００４６】
まず、ユーザーは、入力装置１３を操作して、画像出力に使用するドキュメントデータを選択すると、ユーザーインターフェイス部２３は、選択したドキュメントデータに基づく画像を表示装置１２に表示させる（ステップＳ１）。
【００４７】
図５は、ドキュメントデータに基づく画像を表示する画面の一例を示す図である。図５に示すように、この画面には、印刷キー１０１が表示されている。
【００４８】
ユーザーが印刷キー１０１を押下すると、現在選択されているドキュメントデータが、画像出力の対象となるドキュメントデータに設定される。
【００４９】
画像出力の対象となるドキュメントデータが決定されると、デバイス検出部２１は、無線通信装置１１を使用して、現時点で利用可能な画像形成装置２を検索する。
【００５０】
マップ画像生成部２２は、デバイス検出部２１により発見された画像形成装置２の位置情報を、無線通信装置１１を使用して、その画像形成装置２から取得し（ステップＳ２）、取得した位置情報並びに当該携帯端末装置１の現在位置および現在の向きに基づき、当該携帯端末装置１からのその画像形成装置２の相対的な位置および方角を特定する（ステップＳ３）。
【００５１】
そして、マップ画像生成部２２は、２次元モードでマップ画像を生成し（ステップＳ４）、ユーザーインターフェイス部２３は、生成されたマップ画像を表示装置１２に表示させる（ステップＳ５）。
【００５２】
図６は、２次元モードでのマップ画像を表示する画面の一例を示す図である。図６に示すように、この画面では、ユーザーを示すユーザーアイコン１１１、ドキュメントデータを示すドキュメントアイコン１１２、および発見された画像形成装置２に対応するデバイスアイコン１１３−１〜１１３−３がマップ画像として表示されている。
【００５３】
さらに、図６に示すように、この画面には、表示モードを二次元モードとＡＲモードとの間で切り換えるための表示切換キー１２１が表示されている。
【００５４】
デバイスアイコン１１３−１〜１１３−３の位置は、当該携帯端末装置１からのその画像形成装置２の相対的な位置および方角に基づいて決定される。そのため、ユーザーによって携帯端末装置１の位置や向きが変更されると、その都度、マップ画像が更新される。ただし、ユーザーアイコン１１１、ドキュメントアイコン１１２および表示切換キー１２１の表示位置は特に変更する必要はない。
【００５５】
したがって、この画面が表示されている際には、画像出力に使用する画像形成装置２を指定するデバイス指定操作、および表示切換キー１２１に対する押下操作が可能であり、ユーザーインターフェイス部２３は、それらの操作が行われたか否かを監視している（ステップＳ６，Ｓ７）。
【００５６】
デバイス指定操作としては、（１）ドキュメントアイコン１１２を所望のデバイスアイコン１１３−ｉ（ｉ＝１，２，３）にドラッグアンドドロップする操作、および（２）ドキュメントアイコン１１２から所望のデバイスアイコン１１３−ｉに向かって行うフリック操作が可能である。
【００５７】
ドラッグアンドドロップ操作の場合、ユーザーインターフェイス部２３は、ドキュメントアイコン１１２の表示位置を、ユーザーの指示位置に順次変更していき、ドキュメントアイコン１１２がデバイスアイコン１１３−ｉに重畳した時点で、そのデバイスアイコン１１３−ｉが指定されたと判断する。
【００５８】
フリック操作の場合、ユーザーインターフェイス部２３は、フリック操作の方向に、いずれかのデバイスアイコン１１３−ｉが存在するか否かを判定し、いずれかのデバイスアイコン１１３−ｉが存在する場合、そのデバイスアイコン１１３−ｉが指定されたと判断し、ドキュメントアイコン１１２の表示位置を、フリック操作の方向に沿って移動させていく。
【００５９】
このようなデバイス指定操作が検出されると、出力指示部２４は、無線通信装置１１を使用して、その指定された画像形成装置２へ、そのドキュメントの出力指示を送信する（ステップＳ８）。
【００６０】
一方、表示切換キー１２１に対する押下操作が検出されると、ユーザーインターフェイス部２３は、表示モードをＡＲモードに切り替え、ＡＲモードのマップ画像を生成し（ステップＳ９）、表示装置１２に表示させる（ステップＳ１０）。図７は、ＡＲモードでのマップ画像を表示する画面の一例を示す図である。図７に示すように、ＡＲモードでは、撮像装置１８による撮影画像に、ユーザーアイコン１１１、ドキュメントアイコン１１２、およびデバイスアイコン１１３−１〜１１３−３並びに表示切換１２１が重畳される。
【００６１】
なお、ＡＲモードでは、例えば、携帯端末装置１の傾き角などから撮像装置１８の視野を特定し、撮像装置１８の視野（つまり撮影画像）内のどの位置に画像形成装置２が存在するかを特定し、その位置に、デバイスアイコン１１３−ｉを重畳する。
【００６２】
そして、ＡＲモードにおいても同様に、ユーザーインターフェイス部２３は、デバイス指定操作および表示切換キー１２１に対する押下操作が行われたか否かを監視している（ステップＳ１１，Ｓ１２）。
【００６３】
ＡＲモードにおいて表示切換キー１２１に対する押下操作が行われた場合（ステップＳ１１）、二次元モードに戻る。
【００６４】
一方、デバイス指定操作が検出されると（ステップＳ１２）、出力指示部２４は、無線通信装置１１を使用して、その指定された画像形成装置２へ、そのドキュメントの出力指示を送信する（ステップＳ８）。
【００６５】
以上のように、上記実施の形態１によれば、携帯端末装置１の表示装置１２に表示されている、ドキュメントアイコン１１２およびデバイスアイコン１１３−１〜１１３−３との間の相対的な位置関係（距離および方角）が、現実のユーザーの現在位置と画像形成装置２との間の相対的な位置関係（距離および方角）を表現しているため、ユーザーが所望の画像形成装置を直感的に選択することができる。
【００６６】
実施の形態２．
【００６７】
本発明の実施の形態２に係る画像形成システムでは、携帯端末装置１のユーザーインターフェイス部２３は、上述のデバイス指定操作で、隣接する複数のデバイスアイコンが選択された場合、その複数のデバイスアイコンを含む拡大画像を表示させ、拡大画像内のデバイスアイコンのうち、再度のデバイス指定操作で選択されたデバイスアイコンに対応する画像形成装置２を、画像出力に使用する画像形成装置２として特定する。
【００６８】
図８は、２次元モードにおいて３つのデバイスアイコン１１３−１〜１１３−３が隣接して表示されている画面の一例を示す図である。
【００６９】
そして、フリック操作でデバイスアイコンが指定された場合、ユーザーインターフェイス部２３は、フリック操作の方向に対して予め設定されている角度範囲内に存在するデバイスアイコン１１３−ｉが複数であるか否かを判定し、フリック操作の方向に対して予め設定されている角度範囲内に存在するデバイスアイコン１１３−ｉが１つである場合には、そのデバイスアイコン１１３−ｉに対応する画像形成装置２を、画像出力に使用する画像形成装置２に選択し、フリック操作の方向に対して予め設定されている角度範囲内に存在するデバイスアイコン１１３−ｉが複数である場合には、それらのデバイスアイコン１１３−ｉを含む拡大画像を表示装置１２に表示させる。
【００７０】
図９は、２次元モードにおいて拡大画像を表示する画面の一例を示す図である。図９に示すように、拡大画像では、デバイスアイコン１１３−ｉ間の距離が大きくなる。
【００７１】
そして、ユーザーが再度デバイス指定操作を行うと、ユーザーインターフェイス部２３は、そのデバイス指定操作で指定されたデバイスアイコン１１３−ｉに対応する画像形成装置２を、画像出力に使用する画像形成装置２に選択する。
【００７２】
図１０は、ＡＲモードにおいて３つのデバイスアイコン１１３−１〜１１３−３が隣接して表示されている画面の一例を示す図である。図１１は、ＡＲモードにおいて拡大画像を表示する画面の一例を示す図である。
【００７３】
ＡＲモードにおいても、図１０に示すように、複数のデバイスアイコン１１３−１〜１１３−３が隣接しており、それらのいずれかが指定された場合、図１１に示すように、拡大画像が表示される。
【００７４】
ここで、上述の角度範囲は、設定画面で設定が可能である。図１２は、角度範囲の設定画面の一例を示す図である。図１２に示すような設定画面で角度範囲の設定値（図１２では１０度）を入力することで、ユーザーが、上述の角度範囲を調節することができる。
【００７５】
なお、実施の形態２における各装置のその他の構成および動作については実施の形態１の場合と同様であるので、その説明を省略する。
【００７６】
以上のように、上記実施の形態２によれば、複数のデバイスアイコン１１３−１〜１１３−３が隣接して表示された場合でも、ユーザー所望の画像形成装置２に対応するデバイスアイコン１１３−ｉが正確に選択される。
【００７７】
なお、上述の各実施の形態は、本発明の好適な例であるが、本発明は、これらに限定されるものではなく、本発明の要旨を逸脱しない範囲において、種々の変形、変更が可能である。
【００７８】
例えば、上述の各実施の形態において、マップ画像生成部２２は、デバイス検出部２１により検出された画像形成装置２のうち、マップ画像内にデバイスアイコン１１３−ｉが表示されていない画像形成装置２に対応して、マップ画像のエッジ部分に、マップ画像内にデバイスアイコンが表示されていない画像形成装置が存在する方向を示すエッジ画像を含めるようにしてもよい。図１３は、エッジ画像の一例を示す図である。その場合、図１３に示すようなエッジ画像１３１を表示させればよい。
【００７９】
また、上述の各実施の形態において、出力指示の送信先となる前記画像形成装置２が予め決定している場合、マップ画像生成部２２は、マップ画像において、ドキュメントアイコン１１２を、出力指示の送信先となる画像形成装置２のデバイスアイコン１１３−ｉへ向けて移動させていく、アニメーション表示を行うようにしてもよい。
【産業上の利用可能性】
【００８０】
本発明は、例えば、複数の画像形成装置が接続されたネットワークシステムに適用可能である。
【符号の説明】
【００８１】
１  携帯端末装置
２  画像形成装置
１１  無線通信装置
１２  表示装置  
１４  ＧＰＳ装置（位置検出装置の一例）
１５  方向検出装置
１６ａ  出力指示プログラム
２１  デバイス検出部
２２  マップ画像生成部
２３  ユーザーインターフェイス部
２４  出力指示部
【図１】
0005885714.tif 000002
【図２】
0005885714.tif 000003
【図３】
0005885714.tif 000004
【図４】
0005885714.tif 000005
【図５】
0005885714.tif 000006
【図６】
0005885714.tif 000007
【図７】
0005885714.tif 000008
【図８】
0005885714.tif 000009
【図９】
0005885714.tif 000010
【図１０】
0005885714.tif 000011
【図１１】
0005885714.tif 000012
【図１２】
0005885714.tif 000013
【図１３】
0005885714.tif 000014